(57)【要約】【課題】組み立ておよび再組み立て作業の容易化を実現でき、且つ比較的簡単なケーブル構造で十分な高速信号伝送特性を実現可能な電子機器を提供する。【解決手段】フレキシブルフラットケーブル１５は、複数のグランド線Ｇと複数の信号線Ｓを含む。各グランド線Ｇは２つの接続線１１５ａ，１１５ｂによって電磁波シールド層１１４に接続されている。フレキシブルフラットケーブル１５の中心線Ｌに対して一方側の領域におけるグランド線Ｇと信号線Ｓとの並びと、他方側の領域におけるグランド線Ｇと信号線Ｓとの並びは、中心線Ｌに対して対称である。フレキシブルフラットケーブル１５の端部がそれぞれ接続される２つのコネクタの各々においては、グランド線Ｇに対応する各端子は接地され、２つのグランド線Ｇ間に挟まれた信号線Ｓに対応する端子には高速信号が割り当てられ、他の信号線Ｓに対応する端子にはグランド電位ＶＳＳが割り当てられる。【選択図】      図２
2008243673.tif 000002
【特許請求の範囲】
【請求項１】
第１の電子部品と第２の電子部品との間を相互接続するフレキシブルフラットケーブルであって、第１の絶縁層と、前記第１の絶縁層上に並列に配列された、複数の信号線および複数のグランド線と、前記複数の信号線および複数のグランド線それぞれの両端部が露出されるように前記複数の信号線および複数のグランド線上に設けられた第２の絶縁層と、前記第２の絶縁層上に設けられた電磁波シールド層と、前記複数のグランド線それぞれと前記電磁波シールド層との間を電気的に接続する複数の接続線とを含み、前記各接続線は、対応するグランド線の一方の端部から延存され前記第２の絶縁層と前記電磁波シールド層との間に挟持される第１の接続線部材と、前記対応するグランド線の他方の端部から延存され前記第２の絶縁層と前記電磁波シールド層との間に挟持される第２の接続線部材とを含み、前記フレキシブルフラットケーブルの長手方向に平行な前記フレキシブルフラットケーブルの中心線に対して一方側に位置する前記信号線および前記グランド線の並びと、前記中心線に対して他方側に位置する前記信号線および前記グランド線の並びが、前記中心線に対して対称である、フレキシブルフラットケーブルと、
前記第１および第２の電子部品にそれぞれ設けられ、前記フレキシブルフラットケーブルの一方および他方の端部がそれぞれ接続される第１および第２のコネクタであって、前記各コネクタは、前記複数の信号線にそれぞれ対応する複数の信号端子と、前記複数のグランド線にそれぞれ対応する複数のグランド端子とを含み、前記複数のグランド端子のそれぞれは接地されており、前記複数の信号端子の中で、隣接する２つのグランド端子間に挟まれている１以上の信号端子には、前記第１および第２の電子部品の一方から他方に伝送すべき信号が割り当てられており、前記複数の信号端子の中の他の１以上の信号端子は前記第１および第２の電子部品の一方から他方に伝送すべき基準信号であるグランド電位が割り当てられている、第１および第２のコネクタとを具備することを特徴とする電子機器。
【請求項２】
前記第１および第２の電子部品の一方から他方に伝送すべき信号は一対の差動信号であることを特徴とする請求項１記載の電子機器。
【請求項３】
前記第１および第２の電子部品の一方から他方に伝送すべき信号はシングルエンド信号であることを特徴とする請求項１記載の電子機器。
【請求項４】
前記第１および第２の電子部品間で伝送すべき信号は一対の差動信号であり、
前記フレキシブルフラットケーブル内の前記複数の信号線および前記複数のグランド線の総数は偶数であり、前記複数の信号線は前記フレキシブルフラットケーブルの中心線を挟んで隣接する２つの信号線を含み、前記複数のグランド線は、前記２つの信号線の両側に配置された第１および第２のグランド線を含み、
前記複数の信号端子の中で前記２つの信号線に対応する２つの信号端子には、前記一対の差動信号が割り当てられていることを特徴とする請求項１記載の電子機器。
【請求項５】
前記第１および第２の電子部品間で伝送すべき信号は、一対の第１差動信号、および一対の第２差動信号であり、
前記フレキシブルフラットケーブル内の前記複数の信号線および前記複数のグランド線の総数は奇数であり、前記中心線上には第１のグランド線が配設され、前記中心線から前記一方側に向けては、第１の信号線、第２の信号線、および第２のグランド線が順次配設され、前記中心線から前記他方側に向けては、第３の信号線、第４の信号線、および第３のグランド線が順次配設され、
前記複数の信号端子の中で前記第１および第２の信号線に対応する２つの信号端子には、前記一対の第１差動信号が割り当てられ、前記複数の信号端子の中で前記第３および第４の信号線に対応する２つの信号端子には、前記一対の第２差動信号が割り当てられていることを特徴とする請求項１記載の電子機器。
【請求項６】
前記第１および第２の電子部品間で伝送すべき信号は、一対の第１差動信号、および一対の第２差動信号であり、
前記フレキシブルフラットケーブル内の前記複数の信号線および前記複数のグランド線の総数は偶数であり、前記中心線から前記一方側に向けては、第１のグランド線、第１の信号線、第２の信号線、第２のグランド線が順次配設され、前記中心線から前記他方側に向けては、第３のグランド線、第３の信号線、第４の信号線、第４のグランド線が順次配設され、
前記複数の信号端子の中で前記第１および第２の信号線に対応する２つの信号端子には、前記一対の第１差動信号が割り当てられ、前記複数の信号端子の中で前記第３および第４の信号線に対応する２つの信号端子には、前記一対の第２差動信号が割り当てられていることを特徴とする請求項１記載の電子機器。
【請求項７】
前記第１の電子部品は、前記第１のコネクタが設けられた第１のプリント回路基板と、前記第１のプリント回路基板上に設けられ、前記第１のコネクタおよび前記フレキシブルフラットケーブルを介して前記第２の電子部品に前記信号を送出する電子デバイスとを含み、前記第１コネクタの前記複数のグランド端子のそれぞれは前記第１のプリント回路基板上の接地端子に電気的に接続されていることを特徴とする請求項１記載の電子機器。
【請求項８】
前記第１の電子部品は、前記第２のコネクタが設けられた第２のプリント回路基板と、前記第２のプリント回路基板上に設けられ、前記フレキシブルフラットケーブルおよび前記第２のコネクタを介して前記第１の電子部品から受信した前記信号を、ケーブルを介して外部デバイスに送出する外部コネクタとを含み、前記第２コネクタの前記複数のグランド端子のそれぞれは前記第２のプリント回路基板上の接地端子に電気的に接続されていることを特徴とする請求項７記載の電子機器。
【請求項９】
前記電磁波シールド層は、導電層を含むことを特徴とする請求項１記載の電子機器。
【発明の詳細な説明】
【技術分野】
【０００１】
本発明はパーソナルコンピュータのような電子機器に関し、特にフレキシブルフラットケーブルによって相互接続される２つの電子部品を含む電子機器に関する。
【背景技術】
【０００２】
一般に、パーソナルコンピュータ、通信機器等の電子機器においては、フレキシブルフラットケーブル（ＦＰＣ）は、電子部品相互接続のための機構として広く知られている。フレキシブルフラットケーブルは、その高い柔軟性により、容易に電子部品間を接続することができる。フレキシブルフラットケーブルは、通常、２つの絶縁層間に挟持された複数の導体から構成されている。
【０００３】
最近では、フレキシブルフラットケーブルは、高速信号の伝送にも利用され始めている。特許文献１には、フレキシブルフラットケーブル内の各信号線のインピーダンス整合を図るために、専用のグランド層を備えたフレキシブルフラットケーブルが開示されている。このフレキシブルフラットケーブルは、絶縁層表面上に並設された複数の信号線と、絶縁層の裏面側に設けられたグランド層と、グランド層に接触するドレインワイヤーとから構成されている。このフレキシブルフラットケーブルの端部近傍においては、ドレインワイヤーは絶縁層下面側から絶縁層表面上に導出され、そして複数の信号線の内で両外側に位置する２本の信号線（グランド線）に接触される。
【特許文献１】特開２００３−２１７３６０号公報
【発明の開示】
【発明が解決しようとする課題】
【０００４】
しかし、上記特許文献１のフレキシブルフラットケーブルの構造においては、ドレインワイヤーを絶縁層下面側から絶縁層表面上に導出するための専用の貫通ホールを絶縁層に設けなければならず、これによりフレキシブルフラットケーブルの製造コストは大幅に増加される。
【０００５】
ところで、通常、２つの電子部品間を相互接続するフレキシブルフラットケーブルにおいては、高速信号のみならず、高速伝送が不要な通常の信号、グランド電位、正電源電位、なども伝送される。この場合、厳密なインピーダンス整合が必要な信号線は、高速信号の伝送に使用される信号線のみである。このため、高速信号を伝送するための信号線のみを対象にその高速伝送特性を確保可能な、新たなケーブル構造の実現が必要である。
【０００６】
また、フレキシブルフラットケーブルにおいては、電子機器の組み立て作業、および電子機器の故障修理後における再組み立て作業等を容易にするための工夫を施すことも必要である。
【０００７】
本発明は上述の事情を考慮してなされたものであり、組み立ておよび再組み立て作業の容易化を実現でき、且つ比較的簡単なケーブル構造で十分な高速信号伝送特性を実現することが可能な電子機器を提供することを目的とする。
【課題を解決するための手段】
【０００８】
上述の課題を解決するため、本発明の電子機器は、第１の電子部品と第２の電子部品との間を相互接続するフレキシブルフラットケーブルであって、第１の絶縁層と、前記第１の絶縁層上に並列に配列された、複数の信号線および複数のグランド線と、前記複数の信号線および複数のグランド線それぞれの両端部が露出されるように前記複数の信号線および複数のグランド線上に設けられた第２の絶縁層と、前記第２の絶縁層上に設けられた電磁波シールド層と、前記複数のグランド線それぞれと前記電磁波シールド層との間を電気的に接続する複数の接続線とを含み、前記各接続線は、対応するグランド線の一方の端部から延存され前記第２の絶縁層と前記電磁波シールド層との間に挟持される第１の接続線部材と、前記対応するグランド線の他方の端部から延存され前記第２の絶縁層と前記電磁波シールド層との間に挟持される第２の接続線部材とを含み、前記フレキシブルフラットケーブルの長手方向に平行な前記フレキシブルフラットケーブルの中心線に対して一方側に位置する前記信号線および前記グランド線の並びと、前記中心線に対して他方側に位置する前記信号線および前記グランド線の並びが、前記中心線に対して対称である、フレキシブルフラットケーブルと、前記第１および第２の電子部品にそれぞれ設けられ、前記フレキシブルフラットケーブルの一方および他方の端部がそれぞれ接続される第１および第２のコネクタであって、前記各コネクタは、前記複数の信号線にそれぞれ対応する複数の信号端子と、前記複数のグランド線にそれぞれ対応する複数のグランド端子とを含み、前記複数のグランド端子のそれぞれは接地されており、前記複数の信号端子の中で、隣接する２つのグランド端子間に挟まれている１以上の信号端子には、前記第１および第２の電子部品の一方から他方に伝送すべき信号が割り当てられており、前記複数の信号端子の中の他の１以上の信号端子は前記第１および第２の電子部品の一方から他方に伝送すべき基準信号であるグランド電位が割り当てられている、第１および第２のコネクタとを具備することを特徴とする。
【発明の効果】
【０００９】
本発明によれば、組み立ておよび再組み立て作業の容易化を実現でき、且つ比較的簡単なケーブル構造で十分な高速伝送特性を実現することが可能となる。
【発明を実施するための最良の形態】
【００１０】
以下、図面を参照して、本発明の実施形態を説明する。  
まず、図１を参照して、本発明の一実施形態に係る電子機器の構成の概略を説明する。この電子機器１０は、例えば、パーソナルコンピュータ、オーディオ・ビデオ機器、または通信機器として実現されている。この電子機器１０は、第１および第２の２つの電子部品１１，１２と、これら２つの電子部品１１，１２間を電気的に接続するフレキシブルフラットケーブル（ＦＦＣ）１５とを備えている。
【００１１】
第１の電子部品１１は、プリント回路基板を備えている。このプリント回路基板上には、第１のコネクタ１３、および電子デバイス１６，１７等が設けられている。電子デバイス１６，１７の各々はＬＳＩのような電子回路である。第１のコネクタ１３は、フレキシブルフラットケーブル（ＦＦＣ）１５を第１の電子部品１１のプリント回路基板に接続するためのコネクタ（ＦＦＣコネクタと称されることもある）である。電子デバイス１６は、第２の電子部品１２との通信を実行するデバイスであり、ＵＳＢ信号等のような高速信号、を含む各種信号を、第１のコネクタ１３およびフレキシブルフラットケーブル（ＦＦＣ）１５を介して第２の電子部品１２に送出する。
【００１２】
第２の電子部品１２も、例えば、プリント回路基板等を備えている。このプリント回路基板上には、第２のコネクタ１４、および外部コネクタ１８等が設けられている。第２のコネクタ１４は、フレキシブルフラットケーブル１５を第２の電子部品１２のプリント回路基板に接続するためのコネクタ（ＦＦＣコネクタと称されることもある）である。外部コネクタ１８は、ＵＳＢデバイスのような外部デバイスをケーブル１９を介して電子機器１０に接続するためのコネクタである。この外部コネクタ１８は、フレキシブルフラットケーブル１５および第２のコネクタ１４を介して第１の電子部品１１から受信した各種信号を、ケーブル１９を介して外部デバイスに送出する。
【００１３】
フレキシブルフラットケーブル１５は２つの電子部品１１，１２間を電気的に接続する。フレキシブルフラットケーブル１５の一端部は電子部品１１のコネクタ１３に接続され、フレキシブルフラットケーブル１５の他端部は電子部品１２のコネクタ１４に接続される。
【００１４】
次に、図２乃至図４を参照して、フレキシブルフラットケーブル１５の構造を説明する。
【００１５】
図２は、フレキシブルフラットケーブル１５を上側から見た平面図である。図３は、フレキシブルフラットケーブル１５内のグランド線（Ｇ）に沿ったフレキシブルフラットケーブル１５の断面構造を示す断面図である。図３は、フレキシブルフラットケーブル１５の一端部周辺の構造を示す斜視図である。
【００１６】
フレキシブルフラットケーブル１５は、フレキシブルな第１の絶縁層（絶縁フィルム）１１１と、複数の導体（導電体）１１２と、フレキシブルな第２の絶縁層（絶縁フィルム）１１３と、複数の接続線部材（ドレイン線部材）１１５ａ，１１５ｂと、電磁波シールド層１１４と、２つの補強部材１１６ａ，１１６ｂとを備えている。
【００１７】
複数の導体１１２は、第１の絶縁層１１１上に並列に配列されている。複数の導体１１２それぞれの線幅は同一である。また、どの隣接する２つの導体１１２間の間隔も同じである。複数の導体１１２は、複数の信号線Ｓと複数のグランド線Ｇとから構成されている。すなわち、第１の絶縁層１１１上には、複数の信号線Ｓと複数のグランド線Ｇとが並列に配列されている。
【００１８】
フレキシブルな第２の絶縁層１１３は、複数の信号線Ｓおよび複数のグランド線Ｇそれぞれの両端部が露出されるように複数の信号線Ｓおよび複数のグランド線Ｇ上に設けられている。すなわち、複数の信号線Ｓおよび複数のグランド線Ｇは第１の絶縁層１１１と第２の絶縁層１１３との間に挟持されており、且つフレキシブルフラットケーブル１５の両端部においては、第２の絶縁層１１３は除去されており、これにより複数の信号線Ｓおよび複数のグランド線Ｇそれぞれの両端部が露出されている。
【００１９】
電磁波シールド層１１４は、第２の絶縁層１１３上に設けられている。電磁波シールド層１１４は、ＥＭＩ妨害によって引き起こされる誤動作を防止するためのフィルムである。この電磁波シールド層１１４は、アルミニウム、銀、等の金属を含有する導電層を含んでいる。
【００２０】
各グランド線Ｇには、２つの接続線部材（ドレイン線部材）１１５ａ，１１５ｂが設けられている。各グランド線Ｇは、２つの接続線部材（ドレイン線部材）１１５ａ，１１５ｂによって電磁波シールド層１１４に電気的に接続される。
【００２１】
接続線部材（ドレイン線部材）１１５ａは、対応するグランド線Ｇの一端部から延在され、第２の絶縁層１１３と電磁波シールド層１１４との間に挟持されている。すなわち、接続線部材（ドレイン線部材）１１５ａの一端は対応するグランド線Ｇの露出された一端部に接続されており、そして接続線部材（ドレイン線部材）１１５ａは第２の絶縁層１１３の一端部上にまで延びている。
【００２２】
接続線部材（ドレイン線部材）１１５ｂは、対応するグランド線Ｇの他端部から延在され、第２の絶縁層１１３と電磁波シールド層１１４との間に挟持されている。すなわち、接続線部材（ドレイン線部材）１１５ｂの一端は対応するグランド線Ｇの露出された他端部に接続されており、そして接続線部材（ドレイン線部材）１１５ｂは第２の絶縁層１１３の他端部上にまで延びている。
【００２３】
このように、各グランド線Ｇの両端部は、２つの接続線部材１１５ａ，１１５ｂによってそれぞれ電磁波シールド層１１４に電気的に接続されている。対応する２つの接続線部材１１５ａ，１１５ｂによって、グランド線Ｇと電磁波シールド層１１４との間を電気的に接続する一つの接続線が構成されている。換言すれば、複数のグランド線Ｇは、それらグランド線Ｇの本数と同数の接続線（ドレイン線）によってそれぞれ電磁波シールド層１１４に電気的に接続されており、各接続線は、２つの接続線部材（ドレイン線部材）１１５ａ，１１５ｂから構成されている。
【００２４】
複数の導体１１２の内でグランド線Ｇとして機能する各導体１１２のみに接続線が接続されており、信号線Ｓとして機能する各導体１１２には接続線は接続されていない。
【００２５】
隣接する２つのグランド線Ｇ間には、１本以上の信号線Ｓが挟まれている。この信号線Ｓは高速信号を伝送するための高速信号線として利用される。高速信号は、例えば、一対の差動信号、または１つのシングルエンド信号である。一対の差動信号を高速信号として使用する場合においては、フレキシブルフラットケーブル１５においては、図２に示すように、隣接する２つのグランド線Ｇ間に、２つの信号線Ｓが存在する。これら２つの信号線Ｓは、一対の差動信号を伝送するための差動信号線対として利用される。
【００２６】
例えば３対の差動信号を伝送する場合には、フレキシブルフラットケーブル１５においては、図２に示すように、例えば、４つのグランド線Ｇが設けられる。隣接する２つのグランド線Ｇ間に挟まれた２つの信号線Ｓが、１対の差動信号の伝送に使用される。グランド線Ｇ間に挾まれていない各信号線は、高速伝送が不要な通常の信号の伝送、またはグランド電位、正電源電位、などの伝送に使用される。
【００２７】
つまり、各グランド線Ｇは高速信号線の特性インピーダンスを制御するための専用の導体として機能する。各グランド線Ｇは２つの接続線部材（ドレイン線部材）１１５ａ，１１５ｂによって電磁波シールド層１１４に電気的に接続されているので、高速信号伝送に必要な十分なグランドリファレンスを提供することができる。十分なグランドリファレンスをそれぞれ有する２つのグランド線Ｇ間に挟まれた１以上の信号線Ｓを高速信号の伝送に使用することにより、例えば１００ＭＨｚ以上の高速信号を正常に伝送することができる。このように、各グランド線Ｇは高速信号伝送を実現するためにのみ用いられ、基準電位としての通常のグランド電位の伝送にはグランド線Ｇは用いられない。グランド電位の伝送には、ある信号線Ｓが用いられる。このように、グランド線Ｇを高速信号線の特性インピーダンスを制御するための専用の導体として使用し、且つグランド電位の伝送には信号線Ｓを使用することで、必要なグランド線Ｇの本数、つまり接続線の本数を、最小限に抑えることができる。これにより、フレキシブルケーブル１５に設けるべき接続線の本数を最小限に抑えることが可能となり、フレキシブルケーブル１５の製造工程の簡略化を実現できる。また、各グランド線Ｇと電磁波シールド層１１４との間の接続には、グランド線Ｇの露出された端部から、第２の絶縁層１１３上にまで延びる接続線部材が用いられているので、第２の絶縁層１１３等に貫通孔を設ける必要がなくなり、フレキシブルケーブル１５の構造を簡単化することができる。
【００２８】
また、フレキシブルフラットケーブル１５においては、その長手方向（導体１２の長手方向）に平行なフレキシブルフラットケーブル１５の中心線Ｌに対して一方側に位置する信号線Ｓおよびグランド線Ｇの並びと、中心線Ｌに対して他方側に位置する信号線Ｓおよびグランド線Ｇの並びが、中心線Ｌに対して対称である。これにより、フレキシブルフラットケーブル１５を無極性化することができ、フレキシブルフラットケーブル１５の向きに関係なく、すなわち、フレキシブルフラットケーブル１５の一端部および他端部のどちらが２つのコネクタ１３，１４のどちらに接続されるかに関係なく、第１の電子部品１１と第２の電子部品間をフレキシブルフラットケーブル１５を介して正常に接続することができる。このことは、電子機器１０の組み立ておよび再組み立て作業の容易化を実現できることを意味する。つまり、作業者は、フレキシブルフラットケーブル１５の向きを意識することなく、単にフレキシブルフラットケーブル１５の両端部をそれぞれ２つのコネクタ１３，１４に差し込むだけでよい。
【００２９】
次に、図５乃至図７を参照して、フレキシブルフラットケーブル１５に適用される、信号線Ｓおよびグランド線Ｇの並び（導体アサイン）の例を説明する。
【００３０】
図５は、フレキシブルフラットケーブル１５内の導体１２の本数（つまり、複数の信号線Ｓおよび複数のグランド線Ｇの総数）が偶数（例えば、１２本）であり、且つフレキシブルフラットケーブル１５を介して伝送すべき高速信号が一対の差動信号のみである場合に対応する導体アサインの例を示している。
【００３１】
図５のフレキシブルフラットケーブル１５においては、複数の信号線Ｓには、中心線Ｌを挟んで隣接する２つの信号線Ｓ１，Ｓ２が含まれており、複数のグランド線Ｇには、２つの信号線Ｓ１，Ｓ２の両側に配置された第１および第２のグランド線Ｇ１，Ｇ２が含まれている。
【００３２】
具体的には、中心線Ｌの一方側（図５においては、中心線Ｌの上側）の領域においては、中心線Ｌから一方側の領域の外側に向けて、第１の信号線Ｓ１、第１のグランド線Ｇ１、及び第３乃至第６の信号線Ｓ３−Ｓ６が、この順で順次配置されている。第１のグランド線Ｇ１の一方の端部は接続線部材１１５ａによって電磁波シールド層１１４に接続され、第１のグランド線Ｇ１の他方の端部は接続線部材１１５ｂによって電磁波シールド層１１４に接続されている。中心線Ｌの他方側（図５においては、中心線Ｌの下側）の領域においては、中心線Ｌから他方側の領域の外側に向けて、第２の信号線Ｓ２、第２のグランド線Ｇ２、及び第７乃至第１０の信号線Ｓ７−Ｓ１０が、この順で順次配置されている。第２のグランド線Ｇ２の一方の端部は接続線部材１１５ａによって電磁波シールド層１１４に接続され、第２のグランド線Ｇ２の他方の端部は接続線部材１１５ｂによって電磁波シールド層１１４に接続されている。
【００３３】
２つのグランド線Ｇ１，Ｇ２間に挟まれた２つの信号線Ｓ１，Ｓ２は、一対の差動信号の伝送に使用される。他の信号線Ｓ３−Ｓ１０は、通常の信号、グランド電位、正電源電位、などの伝送に使用される。
【００３４】
図６は、フレキシブルフラットケーブル１５内の導体１２の本数（つまり、複数の信号線Ｓおよび複数のグランド線Ｇの総数）が奇数（例えば、１１本）であり、且つフレキシブルフラットケーブル１５を介して伝送すべき高速信号が一対の第１差動信号、および一対の第２差動信号である場合に対応する導体アサインの例を示している。
【００３５】
フレキシブルフラットケーブル１５の中心線Ｌ上には、第１のグランド線Ｇ１が配設されている。第１のグランド線Ｇ１の一方の端部は接続線部材１１５ａによって電磁波シールド層１１４に接続され、第１のグランド線Ｇ１の他方の端部は接続線部材１１５ｂによって電磁波シールド層１１４に接続されている。
【００３６】
フレキシブルフラットケーブル１５の中心線Ｌの一方側（図６においては、中心線Ｌの上側）の領域においては、中心線Ｌから一方側の領域の外側に向けて、第１の信号線Ｓ１、第２の信号線Ｓ２、および第２のグランド線Ｇ２が、この順で順次配置配設されている。さらに、第２のグランド線Ｇ２の外側には、第５の信号線Ｓ５、および第６の信号線Ｓ６が順次配設されている。第２のグランド線Ｇ２の一方の端部は接続線部材１１５ａによって電磁波シールド層１１４に接続され、第２のグランド線Ｇ２の他方の端部は接続線部材１１５ｂによって電磁波シールド層１１４に接続されている。
【００３７】
中心線Ｌの他方側（図６においては、中心線Ｌの下側）の領域においては、中心線Ｌから他方側の領域の外側に向けて、第３の信号線Ｓ３、第４の信号線Ｓ４、および第３のグランド線Ｇ３が、この順で順次配設されている。さらに、第３のグランド線Ｇ３の外側には、第７の信号線Ｓ７、および第８の信号線Ｓ８が配設されている。第３のグランド線Ｇ３の一方の端部は接続線部材１１５ａによって電磁波シールド層１１４に接続され、第３のグランド線Ｇ３の他方の端部は接続線部材１１５ｂによって電磁波シールド層１１４に接続されている。
【００３８】
２つのグランド線Ｇ１，Ｇ２間に挟まれた２つの信号線Ｓ１，Ｓ２は、一対の第１の差動信号の伝送に使用される。２つのグランド線Ｇ１，Ｇ３間に挟まれた２つの信号線Ｓ３，Ｓ４は、一対の第２の差動信号の伝送に使用される。他の信号線Ｓ５−Ｓ８は、通常の信号、グランド電位、正電源電位、などの伝送に使用される。
【００３９】
図７は、フレキシブルフラットケーブル１５内の導体１１２の本数（つまり、複数の信号線Ｓおよび複数のグランド線Ｇの総数）が偶数（例えば、１２本）であり、且つフレキシブルフラットケーブル１５を介して伝送すべき高速信号が一対の第１差動信号、および一対の第２差動信号である場合に対応する導体アサインの例を示している。
【００４０】
フレキシブルフラットケーブル１５の中心線Ｌの一方側（図７においては、中心線Ｌの上側）の領域においては、中心線Ｌから一方側の領域の外側に向けて、第１のグランド線Ｇ１、第１の信号線Ｓ１、第２の信号線Ｓ２、第２のグランド線Ｇ２が、この順で順次順次配設されている。さらに、第２のグランド線Ｇ２の外側には、第５の信号線Ｓ５、および第６の信号線Ｓ６が順次配設されている。第１のグランド線Ｇ１の一方の端部は接続線部材１１５ａによって電磁波シールド層１１４に接続され、第１のグランド線Ｇ１の他方の端部は接続線部材１１５ｂによって電磁波シールド層１１４に接続されている。また、第２のグランド線Ｇ２の一方の端部は接続線部材１１５ａによって電磁波シールド層１１４に接続され、第２のグランド線Ｇ２の他方の端部は接続線部材１１５ｂによって電磁波シールド層１１４に接続されている。
【００４１】
フレキシブルフラットケーブル１５の中心線Ｌの他方側（図７においては、中心線Ｌの下側）の領域においては、中心線Ｌから他方側の領域の外側に向けて、第３のグランド線Ｇ３、第３の信号線Ｓ３、第４の信号線Ｓ４、第４のグランド線Ｇ４が、この順で順次配設されている。さらに、第４のグランド線Ｇ４の外側には、第７の信号線Ｓ７、および第８の信号線Ｓ８が順次配設されている。第３のグランド線Ｇ３の一方の端部は接続線部材１１５ａによって電磁波シールド層１１４に接続され、第３のグランド線Ｇ３の他方の端部は接続線部材１１５ｂによって電磁波シールド層１１４に接続されている。また、第４のグランド線Ｇ４の一方の端部は接続線部材１１５ａによって電磁波シールド層１１４に接続され、第４のグランド線Ｇ４の他方の端部は接続線部材１１５ｂによって電磁波シールド層１１４に接続されている。
【００４２】
２つのグランド線Ｇ１，Ｇ２間に挟まれた２つの信号線Ｓ１，Ｓ２は、一対の第１の差動信号の伝送に使用される。２つのグランド線Ｇ３，Ｇ４間に挟まれた２つの信号線Ｓ３，Ｓ４は、一対の第２の差動信号の伝送に使用される。他の信号線Ｓ５−Ｓ８は、通常の信号、グランド電位、正電源電位、などの伝送に使用される。
【００４３】
次に、図８乃至図１０を参照して、コネクタ１３，１４それぞれに対する信号の割り当て（ピンアサイン）の例と２つの電子部品１１，１２それぞれの構成例を説明する。
【００４４】
図８は、図５の導体アサインを有するフレキシブルフラットケーブル１５を使用する場合に対応する２つの電子部品１１，１２それぞれの構成例を示している。
【００４５】
電子部品１１のプリント回路基板に設けられたコネクタ１３は、フレキシブルフラットケーブル１５の導体の本数と同数の端子（ピン）を備えている。ここでは、フレキシブルフラットケーブル１５の導体の本数は１２本であるので、コネクタ１３の接続口には１２個の端子Ｐ１〜Ｐ１２が設けられている。フレキシブルフラットケーブル１５から見て、接続口の右端から左端に向けて（図８においては、上端から下端に向けて）、端子Ｐ１〜Ｐ１２がこの順序で並んでいる。端子Ｐ１〜Ｐ１２は、フレキシブルフラットケーブル１５内の複数の信号線にそれぞれ接続される複数の信号端子と、フレキシブルフラットケーブル１５内の複数のグランド線にそれぞれ接続される複数のグランド端子とを含んでいる。端子Ｐ１，Ｐ２，Ｐ３，Ｐ４，Ｐ６，Ｐ７，Ｐ９，Ｐ１０，Ｐ１１，Ｐ１２は信号線Ｓ６，Ｓ５，Ｓ４，Ｓ３，Ｓ１，Ｓ２，Ｓ７，Ｓ８，Ｓ９，Ｓ１０にそれぞれ接続され、それぞれ信号端子として機能する。端子Ｐ５，Ｐ８はグランド線Ｇ１，Ｇ２にそれぞれ接続され、それぞれグランド端子として機能する。
【００４６】
電子部品１１のプリント回路基板上においては、グランド端子Ｐ５，Ｐ８のそれぞれは接地されている。具体的には、グランド端子Ｐ５，Ｐ８のそれぞれは、プリント回路基板上に設けられたグランド電極等に固定的に接続されている。
【００４７】
複数の信号端子Ｐ１−Ｐ４，Ｐ６，Ｐ７，Ｐ９−Ｐ１２の中で、隣接する２つのグランド端子Ｐ５，Ｐ８間に挟まれている信号端子Ｐ６，Ｐ７には、第１および第２の電子部品１１，１２の一方から他方に伝送すべき高速信号（例えば、一対の差動信号Ｄ１，Ｄ２）が割り当てられている。一対の差動信号Ｄ１，Ｄ２は、例えば電子デバイス１６から出力され、プリント回路基板上の差動信号線対を介して信号端子Ｐ６，Ｐ７に供給される。複数の信号端子Ｐ１−Ｐ４，Ｐ６，Ｐ７，Ｐ９−Ｐ１２の中の他の１以上の信号端子、例えば信号端子Ｐ３には、第１および第２の電子部品１１，１２の一方から他方に伝送すべき、基準信号であるグランド電位ＶＳＳが割り当てられている。また、他の信号端子、例えば信号端子Ｐ２には、正電源電位ＶＣＣが割り当てられている。フレキシブルフラットケーブル１５を介して第１の電子部品１１から第２の電子部品に電源（正電源電位ＶＣＣ，グランド電位ＶＳＳ）を供給する場合には、第１の電子部品１１のプリント回路基板上に設けられた正電源電極およびグランド電極がそれぞれ信号端子Ｐ２，Ｐ３に接続される。もちろん、プリント回路基板上に設けられた電源回路の正電源端子およびグランド端子をそれぞれ信号端子Ｐ２，Ｐ３に接続してもよい。
【００４８】
電子部品１２のプリント回路基板に設けられたコネクタ１４も、フレキシブルフラットケーブル１５の導体の本数と同数の端子（ピン）を備えている。すなわち、コネクタ１４の接続口には１２個の端子Ｐ１〜Ｐ１２が設けられている。コネクタ１４の構造は、コネクタ１３と同一である。このため、フレキシブルフラットケーブル１５から見て、コネクタ１４の接続口の右端から左端に向けて（図８においては、下端から上端に向けて）、端子Ｐ１〜Ｐ１２がこの順序で並んでいる。端子Ｐ１〜Ｐ１２は、フレキシブルフラットケーブル１５内の複数の信号線にそれぞれ接続される複数の信号端子と、フレキシブルフラットケーブル１５内の複数のグランド線にそれぞれ接続される複数のグランド端子とを含んでいる。端子Ｐ１，Ｐ２，Ｐ３，Ｐ４，Ｐ６，Ｐ７，Ｐ９，Ｐ１０，Ｐ１１，Ｐ１２は信号線Ｓ１０，Ｓ９，Ｓ８，Ｓ７，Ｓ２，Ｓ１，Ｓ３，Ｓ４，Ｓ５，Ｓ６にそれぞれ接続され、それぞれ信号端子として機能する。端子Ｐ５，Ｐ８はグランド線Ｇ２，Ｇ１にそれぞれ接続され、それぞれグランド端子として機能する。
【００４９】
電子部品１２のプリント回路基板上においては、グランド端子Ｐ５，Ｐ８のそれぞれは接地されている。具体的には、グランド端子Ｐ５，Ｐ８のそれぞれは、プリント回路基板上に設けられたグランド電極に固定的に接続されている。
【００５０】
複数の信号端子Ｐ１−Ｐ４，Ｐ６，Ｐ７，Ｐ９−Ｐ１２の中で、隣接する２つのグランド端子Ｐ５，Ｐ８間に挟まれている信号端子Ｐ６，Ｐ７には、上述の一対の差動信号Ｄ１，Ｄ２が割り当てられている。信号端子Ｐ６，Ｐ７は、プリント回路基板上の差動信号線対を介して外部コネクタ１８内の一対の信号端子に接続されている。複数の信号端子Ｐ１−Ｐ４，Ｐ６，Ｐ７，Ｐ９−Ｐ１２の中で、信号線Ｓ５に接続される信号端子Ｐ１１には、電子部品１１から送信される正電源電位ＶＣＣが割り当てられている。また、複数の信号端子Ｐ１−Ｐ４，Ｐ６，Ｐ７，Ｐ９−Ｐ１２の中で、信号線Ｓ４に接続される信号端子Ｐ１０には電子部品１１から送信されるグランド電位ＶＳＳが割り当てられている。信号端子Ｐ１１および信号端子Ｐ１０は、外部デバイスに電源（ＶＣＣ，ＶＳＳ）を供給するために、プリント回路基板上の２つの信号線を介して外部コネクタ１８内の２つの信号端子にそれぞれ接続されている。
【００５１】
図９は、図６の導体アサインを有するフレキシブルフラットケーブル１５を使用する場合に対応する２つの電子部品１１，１２それぞれの構成例を示している。
【００５２】
電子部品１１のプリント回路基板に設けられたコネクタ１３は、フレキシブルフラットケーブル１５の導体の本数と同数の端子（ピン）を備えている。ここでは、フレキシブルフラットケーブル１５の導体の本数は１１本であるので、コネクタ１３の接続口には１１個の端子Ｐ１〜Ｐ１１が設けられている。フレキシブルフラットケーブル１５から見て、接続口の右端から左端に向けて（図９においては、上端から下端に向けて）、端子Ｐ１〜Ｐ１１がこの順序で並んでいる。端子Ｐ１〜Ｐ１１は、フレキシブルフラットケーブル１５内の複数の信号線にそれぞれ接続される複数の信号端子と、フレキシブルフラットケーブル１５内の複数のグランド線にそれぞれ接続される複数のグランド端子とを含んでいる。端子Ｐ１，Ｐ２，Ｐ４，Ｐ５，Ｐ７，Ｐ８，Ｐ１０，Ｐ１１は信号線Ｓ６，Ｓ５，Ｓ２，Ｓ１，Ｓ３，Ｓ４，Ｓ７，Ｓ８にそれぞれ接続され、それぞれ信号端子として機能する。端子Ｐ３，Ｐ６，Ｐ９はグランド線Ｇ２，Ｇ１，Ｇ３にそれぞれ接続され、それぞれグランド端子として機能する。
【００５３】
電子部品１１のプリント回路基板上においては、グランド端子Ｐ３，Ｐ６，Ｐ９のそれぞれは接地されている。具体的には、グランド端子Ｐ３，Ｐ６，Ｐ９のそれぞれは、プリント回路基板上に設けられたグランド電極等に固定的に接続されている。
【００５４】
複数の信号端子Ｐ１，Ｐ２，Ｐ４，Ｐ５，Ｐ７，Ｐ８，Ｐ１０，Ｐ１１の中で、隣接する２つのグランド端子Ｐ３，Ｐ６間に挟まれている信号端子Ｐ４，Ｐ５には、第１および第２の電子部品１１，１２の一方から他方に伝送すべき高速信号（例えば、一対の差動信号Ｄ１，Ｄ２）が割り当てられている。一対の差動信号Ｄ１，Ｄ２は、例えば電子デバイス１６から出力され、プリント回路基板上の差動信号線対を介して信号端子Ｐ４，Ｐ５に供給される。また、複数の信号端子Ｐ１，Ｐ２，Ｐ４，Ｐ５，Ｐ７，Ｐ８，Ｐ１０，Ｐ１１の中で、隣接する２つのグランド端子Ｐ６，Ｐ９間に挟まれている信号端子Ｐ７，Ｐ８には、第１および第２の電子部品１１，１２の一方から他方に伝送すべき高速信号（例えば、一対の差動信号Ｄ３，Ｄ４）が割り当てられている。一対の差動信号Ｄ３，Ｄ４は、例えば電子デバイス１６から出力され、プリント回路基板上の差動信号線対を介して信号端子Ｐ７，Ｐ８に供給される。
【００５５】
複数の信号端子Ｐ１，Ｐ２，Ｐ４，Ｐ５，Ｐ７，Ｐ８，Ｐ１０，Ｐ１１の中の他の１以上の信号端子、例えば信号端子Ｐ２には、第１および第２の電子部品１１，１２の一方から他方に伝送すべき、基準信号であるグランド電位ＶＳＳが割り当てられている。また、他の信号端子、例えば信号端子Ｐ１には、正電源電位ＶＣＣが割り当てられている。フレキシブルフラットケーブル１５を介して第１の電子部品１１から第２の電子部品に電源（正電源電位ＶＣＣ，グランド電位ＶＳＳ）を供給する場合には、第１の電子部品１１のプリント回路基板上に設けられた正電源電極およびグランド電極がそれぞれ信号端子Ｐ１，Ｐ２に接続される。もちろん、プリント回路基板上に設けられた電源回路の正電源端子およびグランド端子をそれぞれ信号端子Ｐ１，Ｐ２に接続してもよい。
【００５６】
電子部品１２のプリント回路基板に設けられたコネクタ１４も、フレキシブルフラットケーブル１５の導体の本数と同数の端子（ピン）を備えている。すなわち、コネクタ１４の接続口には１１個の端子Ｐ１〜Ｐ１１が設けられている。コネクタ１４の構造は、コネクタ１３と同一である。このため、フレキシブルフラットケーブル１５から見て、コネクタ１４の接続口の右端から左端に向けて（図９においては、下端から上端に向けて）、端子Ｐ１〜Ｐ１１がこの順序で並んでいる。端子Ｐ１〜Ｐ１１は、フレキシブルフラットケーブル１５内の複数の信号線にそれぞれ接続される複数の信号端子と、フレキシブルフラットケーブル１５内の複数のグランド線にそれぞれ接続される複数のグランド端子とを含んでいる。端子Ｐ１，Ｐ２，Ｐ４，Ｐ５，Ｐ７，Ｐ８，Ｐ１０，Ｐ１１は信号線Ｓ８，Ｓ７，Ｓ４，Ｓ３，Ｓ１，Ｓ２，Ｓ５，Ｓ６にそれぞれ接続され、それぞれ信号端子として機能する。端子Ｐ３，Ｐ６，Ｐ９はグランド線Ｇ３，Ｇ１，Ｇ２にそれぞれ接続され、それぞれグランド端子として機能する。
【００５７】
電子部品１２のプリント回路基板上においては、グランド端子Ｐ３，Ｐ６，Ｐ９のそれぞれは接地されている。具体的には、グランド端子Ｐ３，Ｐ６，Ｐ９のそれぞれは、プリント回路基板上に設けられたグランド電極に固定的に接続されている。
【００５８】
複数の信号端子Ｐ１，Ｐ２，Ｐ４，Ｐ５，Ｐ７，Ｐ８，Ｐ１０，Ｐ１１の中で、隣接する２つのグランド端子Ｐ９，Ｐ６間に挟まれている信号端子Ｐ８，Ｐ７には、上述の一対の差動信号Ｄ１，Ｄ２が割り当てられている。信号端子Ｐ８，Ｐ７は、プリント回路基板上の差動信号線対を介して外部コネクタ１８内の一対の信号端子に接続されている。また、複数の信号端子Ｐ１，Ｐ２，Ｐ４，Ｐ５，Ｐ７，Ｐ８，Ｐ１０，Ｐ１１の中で、隣接する２つのグランド端子Ｐ６，Ｐ３間に挟まれている信号端子Ｐ５，Ｐ４には、上述の一対の差動信号Ｄ３，Ｄ４が割り当てられている。信号端子Ｐ５，Ｐ４は、プリント回路基板上の差動信号線対を介して外部コネクタ１８内の一対の信号端子に接続されている。
【００５９】
複数の信号端子Ｐ１，Ｐ２，Ｐ４，Ｐ５，Ｐ７，Ｐ８，Ｐ１０，Ｐ１１の中で、信号線Ｓ６に接続される信号端子Ｐ１１には、電子部品１１から送信される正電源電位ＶＣＣが割り当てられている。また、複数の信号端子Ｐ１，Ｐ２，Ｐ４，Ｐ５，Ｐ７，Ｐ８，Ｐ１０，Ｐ１１の中で、信号線Ｓ５に接続される信号端子Ｐ１０には電子部品１１から送信されるグランド電位ＶＳＳが割り当てられている。信号端子Ｐ１１および信号端子Ｐ１０は、プリント回路基板上の２つの信号線を介して外部コネクタ１８内の２つの信号端子にそれぞれ接続されている。
【００６０】
図１０は、図７の導体アサインを有するフレキシブルフラットケーブル１５を使用する場合に対応する２つの電子部品１１，１２それぞれの構成例を示している。
【００６１】
電子部品１１のプリント回路基板に設けられたコネクタ１３は、フレキシブルフラットケーブル１５の導体の本数と同数の端子（ピン）を備えている。ここでは、フレキシブルフラットケーブル１５の導体の本数は１２本であるので、コネクタ１３の接続口には１２個の端子Ｐ１〜Ｐ１２が設けられている。フレキシブルフラットケーブル１５から見て、接続口の右端から左端に向けて（図１０においては、上端から下端に向けて）、端子Ｐ１〜Ｐ１２がこの順序で並んでいる。端子Ｐ１〜Ｐ１２は、フレキシブルフラットケーブル１５内の複数の信号線にそれぞれ接続される複数の信号端子と、フレキシブルフラットケーブル１５内の複数のグランド線にそれぞれ接続される複数のグランド端子とを含んでいる。端子Ｐ１，Ｐ２，Ｐ４，Ｐ５，Ｐ８，Ｐ９，Ｐ１１，Ｐ１２は信号線Ｓ６，Ｓ５，Ｓ２，Ｓ１，Ｓ３，Ｓ４，Ｓ７，Ｓ８にそれぞれ接続され、それぞれ信号端子として機能する。端子Ｐ３，Ｐ６，Ｐ７，Ｐ１０はグランド線Ｇ２，Ｇ１，Ｇ３，Ｇ４にそれぞれ接続され、それぞれグランド端子として機能する。
【００６２】
電子部品１１のプリント回路基板上においては、グランド端子Ｐ３，Ｐ６，Ｐ７，Ｐ１０のそれぞれは接地されている。具体的には、グランド端子Ｐ３，Ｐ６，Ｐ７，Ｐ１０のそれぞれは、プリント回路基板上に設けられたグランド電極等に固定的に接続されている。
【００６３】
複数の信号端子Ｐ１，Ｐ２，Ｐ４，Ｐ５，Ｐ８，Ｐ９，Ｐ１１，Ｐ１２の中で、隣接する２つのグランド端子Ｐ３，Ｐ６間に挟まれている信号端子Ｐ４，Ｐ５には、第１および第２の電子部品１１，１２の一方から他方に伝送すべき高速信号（例えば、一対の差動信号Ｄ１，Ｄ２）が割り当てられている。一対の差動信号Ｄ１，Ｄ２は、例えば電子デバイス１６から出力され、プリント回路基板上の差動信号線対を介して信号端子Ｐ４，Ｐ５に供給される。また、複数の信号端子Ｐ１，Ｐ２，Ｐ４，Ｐ５，Ｐ８，Ｐ９，Ｐ１１，Ｐ１２の中で、隣接する２つのグランド端子Ｐ７，Ｐ１０間に挟まれている信号端子Ｐ８，Ｐ９には、第１および第２の電子部品１１，１２の一方から他方に伝送すべき高速信号（例えば、一対の差動信号Ｄ３，Ｄ４）が割り当てられている。一対の差動信号Ｄ３，Ｄ４は、例えば電子デバイス１６から出力され、プリント回路基板上の差動信号線対を介して信号端子Ｐ８，Ｐ９に供給される。
【００６４】
複数の信号端子Ｐ１，Ｐ２，Ｐ４，Ｐ５，Ｐ８，Ｐ９，Ｐ１１，Ｐ１２の中の他の１以上の信号端子、例えば信号端子Ｐ２には、第１および第２の電子部品１１，１２の一方から他方に伝送すべき、基準信号であるグランド電位ＶＳＳが割り当てられている。また、他の信号端子、例えば信号端子Ｐ１には、正電源電位ＶＣＣが割り当てられている。フレキシブルフラットケーブル１５を介して第１の電子部品１１から第２の電子部品に電源（正電源電位ＶＣＣ，グランド電位ＶＳＳ）を供給する場合には、第１の電子部品１１のプリント回路基板上に設けられた正電源電極およびグランド電極がそれぞれ信号端子Ｐ１，Ｐ２に接続される。もちろん、プリント回路基板上に設けられた電源回路の正電源端子およびグランド端子をそれぞれ信号端子Ｐ１，Ｐ２に接続してもよい。
【００６５】
電子部品１２のプリント回路基板に設けられたコネクタ１４も、フレキシブルフラットケーブル１５の導体の本数と同数の端子（ピン）を備えている。すなわち、コネクタ１４の接続口には１２個の端子Ｐ１〜Ｐ１２が設けられている。コネクタ１４の構造は、コネクタ１３と同一である。このため、フレキシブルフラットケーブル１５から見て、コネクタ１４の接続口の右端から左端に向けて（図１０においては、下端から上端に向けて）、端子Ｐ１〜Ｐ１２がこの順序で並んでいる。端子Ｐ１〜Ｐ１２は、フレキシブルフラットケーブル１５内の複数の信号線にそれぞれ接続される複数の信号端子と、フレキシブルフラットケーブル１５内の複数のグランド線にそれぞれ接続される複数のグランド端子とを含んでいる。端子Ｐ１，Ｐ２，Ｐ４，Ｐ５，Ｐ８，Ｐ９，Ｐ１１，Ｐ１２は信号線Ｓ８，Ｓ７，Ｓ４，Ｓ３，Ｓ１，Ｓ２，Ｓ５，Ｓ６にそれぞれ接続され、それぞれ信号端子として機能する。端子Ｐ３，Ｐ６，Ｐ７，Ｐ１０はグランド線Ｇ４，Ｇ３，Ｇ１，Ｇ２にそれぞれ接続され、それぞれグランド端子として機能する。
【００６６】
電子部品１２のプリント回路基板上においては、グランド端子Ｐ３，Ｐ６，Ｐ７，Ｐ１０のそれぞれは接地されている。具体的には、グランド端子Ｐ３，Ｐ６，Ｐ７，Ｐ１０のそれぞれは、プリント回路基板上に設けられたグランド電極に固定的に接続されている。
【００６７】
複数の信号端子Ｐ１，Ｐ２，Ｐ４，Ｐ５，Ｐ８，Ｐ９，Ｐ１１，Ｐ１２の中で、隣接する２つのグランド端子Ｐ１０，Ｐ７間に挟まれている信号端子Ｐ９，Ｐ８には、上述の一対の差動信号Ｄ１，Ｄ２が割り当てられている。信号端子Ｐ９，Ｐ８は、プリント回路基板上の差動信号線対を介して外部コネクタ１８内の一対の信号端子に接続されている。また、複数の信号端子Ｐ１，Ｐ２，Ｐ４，Ｐ５，Ｐ８，Ｐ９，Ｐ１１，Ｐ１２の中で、隣接する２つのグランド端子Ｐ６，Ｐ３間に挟まれている信号端子Ｐ５，Ｐ４には、上述の一対の差動信号Ｄ３，Ｄ４が割り当てられている。信号端子Ｐ５，Ｐ４は、プリント回路基板上の差動信号線対を介して外部コネクタ１８内の一対の信号端子に接続されている。
【００６８】
複数の信号端子Ｐ１，Ｐ２，Ｐ４，Ｐ５，Ｐ８，Ｐ９，Ｐ１１，Ｐ１２の中で、信号線Ｓ６に接続される信号端子Ｐ１２には、電子部品１１から送信される正電源電位ＶＣＣが割り当てられている。また、信号線Ｓ５に接続される信号端子Ｐ１１には電子部品１１から送信されるグランド電位ＶＳＳが割り当てられている。信号端子Ｐ１２および信号端子Ｐ１１は、プリント回路基板上の２つの信号線を介して外部コネクタ１８内の２つの信号端子にそれぞれ接続されている。
【００６９】
図１１は、電子部品１１，１２それぞれの具体的な構成の例を示している。
【００７０】
電子部品１１のプリント回路基板上には、USB/IEEE1394コントローラが上述の電子デバイス１６として実装されている。USB/IEEE1394コントローラ１６とコネクタ１３との間は、プリント回路基板上に配設された高速伝送線路によって接続されている。本例では、高速伝送線路として差動信号線対が使用される。さらに、電子部品１１のプリント回路基板上には、ＬＥＤコントロール回路が上述の電子デバイス１７として実装されている。ＬＥＤコントロール回路１７は、プリント回路基板上に配設された信号線を介してコネクタ１３に接続されている。
【００７１】
電子部品１２のプリント回路基板には、上述の外部コネクタとしてそれぞれ機能するUSB2.0用外部コネクタ１８１およびIEEE1394用外部コネクタ１８２が実装されている。USB2.0用外部コネクタ１８１およびIEEE1394用外部コネクタ１８２の各々とコネクタ１４との間は、プリント回路基板上に配設された差動信号線対によって接続されている。USB2.0用外部コネクタ１８１にケーブルを介して接続される外部ＵＳＢデバイスとの通信は、USB/IEEE1394コントローラ１６によって実行される。IEEE1394用外部コネクタ１８２にケーブルを介して接続される外部IEEE1394デバイスとの通信も、USB/IEEE1394コントローラ１６によって実行される。
【００７２】
電子部品１２のプリント回路基板上には、さらに、動作視認用のLED１２が実装されている。LED１２は、プリント回路基板上に配設された信号線を介してコネクタ１４に接続されている。LED１２の制御は、ＬＥＤコントロール回路１７によって実行される。
【００７３】
電子部品１１と電子部品１２との間の接続にはフレキシブルフラットケーブル１５が用いられる。上述したように、フレキシブルフラットケーブル１５においては、高速信号伝送用のＧＮＤリファレンス不足を補うために、シールド層（ＧＮＤシールド）１１４が設けられている。また、各グランド線とシールド層（ＧＮＤシールド）１１４との間のインピーダンスを下げるために、各グランド線は、ドレイン線と称される接続線（一対の接続線部材）を介して、シールド層（ＧＮＤシールド）１１４に接続されている。
【００７４】
図１２は、コネクタ１３，１４それぞれに適用されるピンアサインの例を示している。
【００７５】
コネクタ１３の端子Ｐ１には、ＬＥＤ１２を制御するための信号（ＬＥＤ１）が割り当てられている。信号（ＬＥＤ１）は、コネクタ１３、フレキシブルフラットケーブル１５、およびコネクタ１４を介して、ＬＥＤコントロール回路１７からＬＥＤ１２に送られる。コネクタ１３の端子Ｐ２，Ｐ５，Ｐ８，Ｐ１１は高速信号伝送用のグランド端子であり、それぞれ接地されている。
【００７６】
隣接する２つの端子Ｐ２，Ｐ３には、一対のＵＳＢ差動信号（USB1P,USB1N）が割り当てられている。一対のＵＳＢ差動信号（USB1P,USB1N）は、USB/IEEE1394コントローラ１６と外部ＵＳＢデバイスとの間で双方向で伝送される差動信号である。
【００７７】
隣接する２つの端子Ｐ６，Ｐ７には、一対のIEEE1394差動信号（1394TX_P, 1394TX_N）が割り当てられている。一対のIEEE1394差動信号（1394TX_P, 1394TX_N）は、USB/IEEE1394コントローラ１６から外部ＵＳＢデバイスに送信される差動信号である。隣接する２つの端子Ｐ９，Ｐ１０には、一対のIEEE1394差動信号（1394RX_P, 1394RX_N）が割り当てられている。一対のIEEE1394差動信号（1394RX_P, 1394RX_N）は、外部ＵＳＢデバイスからUSB/IEEE1394コントローラ１６に送信される差動信号である。端子Ｐ１２には、グランド電位ＶＳＳが割り当てられている。グランド電位ＶＳＳは、電子部品１１から電子部品１２に基準電位として供給される。
【００７８】
なお、信号（ＬＥＤ１）の代わりに正電源電位ＶＣＣを端子Ｐ１に割り当て、正電源電位ＶＣＣとグランド電位ＶＳＳとを外部ＵＳＢデバイス等に電源として供給するようにしてもよい。
【００７９】
図１３は、図１２のピンアサインに対応する、フレキシブルフラットケーブル１５の導体アサインの例を示している。前にも述べたとおり、フレキシブルフラットケーブル１５は、コネクタ１３，１４と同数の導体を有しており、コネクタ１３，１４のピンアサインでＧＮＤに指定された端子それぞれに対応する導体は対応する接続線（ドレイン線ＧＮＤ）によってシールド層に接続されている。この構造により、シールド層とコネクタ１３，１４内のグランド端子（ＧＮＤ）との間が接続されるので、高速信号伝送特性を得ることができる。よって、高速伝送特性の向上に使用しない通常のグランド電位ＶＳＳの伝送においては、ドレイン線ＧＮＤは必要ではない。
【００８０】
ここで、フレキシブルフラットケーブル１５を１８０度逆に敷設した場合（左右を反対にして敷設した場合）を考える。通常の接続方法の場合、コネクタ１３，１４のピンアサインとフレキシブルフラットケーブル１５の導体アサインとの関係は図１５の上側に示すような関係となるが、１８０度逆に敷設した場合は、図１５の下側に示すようになる。通常の接続時と１８０度逆に敷設した時とで、フレキシブルフラットケーブル１５内の各信号線に対する信号の割り当ては異なるが、ドレイン線（ＧＮＤ）と信号線との配置位置の関係は変化しないことがわかる。ここで、信号線はどれも同じ導体であるので、各信号線に対する信号の割り当てが変化しても、動作には支障はない。
【００８１】
もしドレイン線ＧＮＤが図１４に示すように設けられたフレキシブルフラットケーブル１５’を使用したならば、図１６に示すように、通常の接続時と１８０度逆に敷設した時とで、ドレイン線（ＧＮＤ）と信号線との配置位置の関係が変化してしまい、信号がドレイン線（ＧＮＤ）に接続されてしまう。この場合、信号を正常に伝送することはできない。また、場合によっては、正電源電位とグランドとがショートしてしまい、焼損などの危険が発生する可能性もある。
【００８２】
図１７は、折り曲げられたフレキシブルフラットケーブル１５を用いて、コネクタ１３，１４間を接続する様子を示している。この場合においても、フレキシブルフラットケーブル１５の一端部および他端部のどちらが２つのコネクタ１３，１４のどちらに接続されようとも、第１の電子部品１１と第２の電子部品間をフレキシブルフラットケーブル１５を介して正常に接続することができる。
【００８３】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００８４】
【図１】本発明の一実施形態に係る電子機器の構成の概略を示すブロック図。
【図２】図１の電子機器に適用されるフレキシブルフラットケーブルの構造を示す平面図。
【図３】図１の電子機器に適用されるフレキシブルフラットケーブルの構造を示す断面図。
【図４】図１の電子機器に適用されるフレキシブルフラットケーブルの端部の構造を示す斜視図。
【図５】図１の電子機器に適用されるフレキシブルフラットケーブルの導体アサインの第１の例を示す図。
【図６】図１の電子機器に適用されるフレキシブルフラットケーブルの導体アサインの第２の例を示す図。
【図７】図１の電子機器に適用されるフレキシブルフラットケーブルの導体アサインの第３の例を示す図。
【図８】図１の電子機器に設けられた２つの電子部品それぞれの構成の第１の例を示すブロック図。
【図９】図１の電子機器に設けられた２つの電子部品それぞれの構成の第２の例を示すブロック図。
【図１０】図１の電子機器に設けられた２つの電子部品それぞれの構成の第３の例を示すブロック図。
【図１１】図１の電子機器に設けられた２つの電子部品それぞれの具体的な構成の例を示すブロック図。
【図１２】図１１の２つの電子部品それぞれに設けられた２つのコネクタのピンアサインの例を示す図。
【図１３】図１１のピンアサインに対応する、フレキシブルフラットケーブルの導体アサインの例を示す図。
【図１４】通常のフレキシブルフラットケーブルの導体アサインの例を示す図。
【図１５】図１１のピンアサインと図１３の導体アサインとの関係を説明するための図。
【図１６】図１１のピンアサインと図１４の導体アサインとの関係を説明するための図。
【図１７】図１の電子機器に適用されるフレキシブルフラットケーブルが折り曲げられた状態で使用される様子を示す図。
【符号の説明】
【００８５】
１０…電子機器、１１，１２…電子部品、１３，１４…コネクタ、１５…フレキシブルフラットケーブル、１１１…第１の絶縁層、１１２…導体、１１３…第２の絶縁層、１１４…電磁波シールド層、１１５ａ，１１５ｂ…接続線部材（ドレイン線部材）。
【図１】
2008243673.tif 000003
【図２】
2008243673.tif 000004
【図３】
2008243673.tif 000005
【図４】
2008243673.tif 000006
【図５】
2008243673.tif 000007
【図６】
2008243673.tif 000008
【図７】
2008243673.tif 000009
【図８】
2008243673.tif 000010
【図９】
2008243673.tif 000011
【図１０】
2008243673.tif 000012
【図１１】
2008243673.tif 000013
【図１２】
2008243673.tif 000014
【図１３】
2008243673.tif 000015
【図１４】
2008243673.tif 000016
【図１５】
2008243673.tif 000017
【図１６】
2008243673.tif 000018
【図１７】
2008243673.tif 000019